(57)【要約】【課題】  ファンデーション等の化粧料のコンパクトな容器に、拡大倍率の異なる複数の鏡を、個々の有効面積を損なうことなく、かつ互いに擦れ合わさることなく設け、化粧料容器の使い勝手を向上させる。【解決手段】  拡大鏡付化粧料容器１が、化粧料Ａを収容する容器本体２、容器本体２に開閉自在に蝶着された蓋体３、蓋体３の内側に形成された平面鏡４、及び倍率の異なる複数の鏡６、７が表裏両面に形成された両面鏡８を備えている。【選択図】  図１
2005253683.tif 000002
【特許請求の範囲】
【請求項１】
化粧料を収容する容器本体、容器本体に開閉自在に蝶着された蓋体、蓋体の内側に形成された平面鏡、及び倍率の異なる複数の鏡が表裏両面に形成された両面鏡を備えた拡大鏡付化粧料容器。
【請求項２】
両面鏡が、表裏回転可能かつ容器本体と蓋体の内部に収容可能となるように容器本体又は蓋体に軸着されている請求項１記載の拡大鏡付化粧料容器。
【請求項３】
両面鏡が、蝶着部と反対側の蓋体縁部に軸着されている請求項２記載の拡大鏡付化粧料容器。
【請求項４】
両面鏡が、着脱自在である請求項１〜３のいずれかに記載の拡大鏡付化粧料容器。
【発明の詳細な説明】
【技術分野】
【０００１】
本発明は、ファンデーション、チーク、アイシャドウ等の化粧料を収容するコンパクトな鏡付容器に関する。
【背景技術】
【０００２】
ファンデーション、チーク、アイシャドウ等の化粧料を収容するコンパクトな鏡付容器としては、一般に、化粧料を収容する容器本体と、容器本体に開閉自在に蝶着された蓋体からなり、蓋体の内側に平面鏡を貼着したものが使用されている。
【０００３】
また、このような化粧料容器であって、等倍像の他に拡大像を観察できるようにしたものとしては、容器本体の縁部に中蓋を枢着し、その中蓋に凹面鏡を取り付けたもの（特許文献１）や、蓋体に小柱を立て、その小柱で、重ね合わせた凸面鏡と凹面鏡を枢支したもの（特許文献２）が提案されている。
【０００４】
【特許文献１】実開平５−８５３０８号公報
【特許文献２】実公昭５８−４６７２１号公報
【発明の開示】
【発明が解決しようとする課題】
【０００５】
しかしながら、特許文献１の化粧料容器では、１つの容器内に設けられる凹面鏡の倍率は１種のみである。一方、鏡で顔を観察する場合、目、頬、唇、顔全体等の観察部位によって見やすい倍率は異なる。
【０００６】
また、特許文献２の化粧料容器では、２枚の鏡を重ね合わせて軸で枢支するため、鏡の使用時に２枚の鏡を広げてもそれらの重なりにより鏡の有効面積が低減し、観察し難いという問題がある。また、２枚の鏡を広げたり、重ね合わせたりする度に鏡同士が擦れるため、鏡の表面に傷がついたり、欠けたりし易い。
【０００７】
これに対し、本発明は、ファンデーション、チーク、アイシャドウ等の化粧料のコンパクトな容器に、拡大倍率の異なる複数の鏡を、個々の有効面積を損なうことなく、かつ互いに擦れ合わさることなく設け、化粧料容器の使い勝手を向上させることを目的とする。
【課題を解決するための手段】
【０００８】
本発明者は、拡大倍率の異なる複数の鏡を表裏に張り合わせ、それを回転可能に軸着することにより、上記の目的が達成されることを見出した。
【０００９】
即ち、本発明は、化粧料を収容する容器本体、容器本体に開閉自在に蝶着された蓋体、蓋体の内側に形成された平面鏡、及び倍率の異なる複数の鏡が表裏両面に形成された両面鏡を備えた拡大鏡付化粧料容器を提供する。
【発明の効果】
【００１０】
本発明の拡大鏡付化粧料容器によれば、平面鏡の他に、拡大倍率の異なる複数の鏡が両面鏡の表裏に設けられているので、目、頬、唇、顔全体等の観察部位に応じた最適の拡大倍率で像を見ることができる。
【００１１】
また、拡大倍率の異なる複数の鏡が両面鏡の表裏に設けられているので、鏡の使用時に鏡同士が重なって有効面積が狭まることはなく、鏡同士の擦れの問題も生じない。
【００１２】
特に、本発明の拡大鏡化粧料容器において、上述の両面鏡を表裏回転可能に容器本体又は蓋体に軸着すると、両面鏡の表裏の向きを変えるだけで極めて簡便に倍率の異なる像を観察することが可能となり、その像を観察しながら化粧をすることが容易となる。
【発明を実施するための最良の形態】
【００１３】
以下、図面を参照しつつ本発明を詳細に説明する。なお、各図中、同一符号は同一又は同等の構成要素表している。
【００１４】
図１は、本発明の一実施例の化粧料容器１であって、蓋体を開けた状態と閉じた状態の斜視図である。
【００１５】
この化粧料容器１は、ファンデーション、チーク、アイシャドウ等の化粧料Ａを収容する容器本体２、及び容器本体２に開閉自在に蝶着された蓋体３からなっている。蓋体３の内側には平面鏡４が貼着されている。また、蓋体３の蝶着部５と反対側の蓋体縁部３ａには、倍率の異なる鏡６、７が表裏に形成された両面鏡８が、ボールジョイント９により軸着されている。したがって、この両面鏡８は、矢印Ｘのように表裏回転自在である。また、矢印Ｙのように折り畳み、容器本体２と蓋体３の内部に収容することができ、携帯性に優れたものとなっている。
【００１６】
ここで、両面鏡８の表裏に設ける鏡の倍率には特に制限はなく、例えば、一方の鏡６を１．１〜３．０倍の凹面鏡とし、他方の鏡７を３．１〜５．０倍の凹面鏡とすることができる。また、表裏いずれかに凸面鏡を設け、より広範囲の像を観察できるようにしてもよい。このように、化粧料容器１に倍率の異なる複数の鏡を設けることにより、目、頬、唇、顔全体等の観察部位に応じた最適の拡大倍率で像を見ることが可能となる。したがって、例えば、蓋体３の裏面に設けた拡大倍率１の平面鏡４で全体的な仕上がりを見ながら、拡大倍率１．５の凹面鏡６あるいは拡大倍率３の凹面鏡７で部分的な化粧を丁寧に行うことができる。このような拡大像は、弱視者や高齢者にも見やすいものとなる。
【００１７】
なお、平面鏡４は、一般に化粧時の使用頻度が高いため、常時容易に観察できるように、図示したように、蓋体３の裏面に設けることが好ましい。
【００１８】
また、本発明の化粧料容器おいて、両面鏡８は、図２に示すように、表裏回転、及び折り畳み自在に蓋体３の側縁部に取り付けてもよく、図３に示すように、容器本体２に取り付けてもよいが、図１に示すように、蝶着部５と反対側の蓋体縁部３ａに両面鏡８を軸着すると、蓋体３を開けた場合に、両面鏡８が蓋体３の頂部に位置する。したがって、右利きの者でも左利きの者でも、片手で容器本体２を保持し、他方の手で両面鏡８の向きを変えることが容易となるので好ましい。
【００１９】
さらに、本発明の化粧料容器１において、両面鏡８は、図４に示すように着脱自在としてもよい。これにより、取り外した両面鏡８と、蓋体３の裏面の平面鏡４とを組み合わせ、例えば、頭部背面等を観察することも可能となる。
【産業上の利用可能性】
【００２０】
本発明の化粧料容器は、ファンデーション、チーク、アイシャドウ等の化粧料を収容するコンパクトな鏡付容器として有用である。
【図面の簡単な説明】
【００２１】
【図１】一実施例の化粧料容器であって、蓋体を閉じた状態（ａ）と、蓋体を開けた状態（ｂ）、（ｃ）の斜視図である。
【図２】異なる態様の化粧料容器の斜視図である。
【図３】異なる態様の化粧料容器の斜視図である。
【図４】両面鏡を外した状態の化粧料容器の斜視図である。
【符号の説明】
【００２２】
１    化粧料容器
２    容器本体
３    蓋体
３ａ  蓋体縁部
４    平面鏡
５    蝶着部
６    鏡
７    鏡
８    両面鏡
９    ボールジョイント
Ａ    化粧料
【図１】
2005253683.tif 000003
【図２】
2005253683.tif 000004
【図３】
2005253683.tif 000005
【図４】
2005253683.tif 000006